(57)【要約】【課題】中立位置へセルフリターンするタイプのスライド型電気部品において、簡単な構成でコイルバネなどの復帰ばねの移動や脱落などの防止を図ることができるスライド型電気部品を提供する。【解決手段】操作部材４の駆動体部４ａに、摺動方向と直交する方向に突出されて復帰ばね２の他端側と係合する突起部４ｄを形成すると共に、カバー８には、ケーシング１の収納部１ａに収納された復帰ばね２の一端側に当接、あるいは近接して配置される保持突起８ａを形成した。【選択図】        図２
2004234990.tif 000002
【特許請求の範囲】
【請求項１】
一側面に開口された収納部を有するケーシングと、操作ノブと駆動体部を有し、前記ケーシングの収納部に前記駆動体部が摺動可能に配設された操作部材と、前記ケーシングの収納部に一端側が係止され、他端側が前記操作部材を初期位置へ付勢する復帰ばねと、前記駆動体部の一側面に設けられた摺動子片あるいは導電パターンと、この摺動子片あるいは導電パターンに対向して設けられた導電パターンあるいは摺動子片を有し、前記ケーシングの収納部を覆うように一体的に係合されたカバーとを備え、前記操作部材の駆動体部に、摺動方向と直交する方向に突出されて前記復帰ばねの他端側と係合する突起部を形成すると共に、前記カバーには、前記ケーシングの収納部に収納された前記復帰ばねの一端側に当接、あるいは近接して配置される保持突起を形成したことを特徴とするスライド型電気部品。
【請求項２】
前記復帰ばねは、前記ケーシングの収納部両側部に一端側が係止され前記操作部材を中央位置へ付勢する一対の復帰ばねからなり、前記ケーシングの収納部には、前記駆動体部の摺動面より下方に摺動方向に沿って並設され、前記復帰ばねの両端部が位置決めされる壁部を有する一対のばね収納部を形成し、この一対のばね収納部の間に両方を連結する連結溝部を形成すると共に、前記ばね収納部の対向する一対の前記壁部の間に前記駆動体部の突起部を摺動案内する摺動溝部を連続して形成したことを特徴とする請求項１記載のスライド型電気部品。
【請求項３】
前記操作部材の駆動体部には、前記突起部が形成された摺動面と、前記摺動子片あるいは導電パターンが設けられた一側面とを表裏に対向させて形成したことを特徴とする請求項１、又は２記載のスライド型電気部品。
【請求項４】
前記摺動溝部を円弧状に形成し、前記駆動体部の突起部を前記摺動溝部に摺動させることにより前記操作ノブを円弧状にスライド操作可能に保持したことを特徴とする請求項２、又は３の何れかに記載のスライド型電気部品。
【請求項５】
円弧状の前記摺動溝部に対応する前記ばね収納部を直線状に形成し、前記ばね収納部に前記復帰ばねが直線となるように配置すると共に、前記突起部が前記摺動溝部を円弧状に摺動する際には前記復帰ばねが直線状に撓むようにしたことを特徴とする請求項４記載のスライド型電気部品。
【発明の詳細な説明】
【０００１】
【発明の属する技術分野】
本発明は、スライド型電気部品に係り、特にビデオカメラなどの電子機器のズームコントロールなどに使用される中立位置にセンター復帰するタイプのスライド型電気部品の構造に関する。
【０００２】
【従来の技術】
従来のスライド型電気部品の構造としては、ケース内にスライダをスライド自在に収納し、スライダをその中立点から復帰ばねなどの付勢手段の付勢力に抗して一方の方向にスライド移動させるとスイッチ部がオンし、手を離すと前記付勢手段によって元の中立点に自動復帰してスイッチ部がオフする構成のものが知られている（例えば、特許文献１参照）。
【０００３】
以下、従来のスライド型電気部品の構造を図に基づいて説明する。
図１０乃至図１２は従来のスライド型電気部品の構造を示し、図１０はスライド型電気部品を示す分解斜視図、図１１はスライダを裏面側から示す斜視図、図１２は上ケースを裏面側から示す斜視図である。
【０００４】
図に示すように、スライド型電気部品は、下ケース１０と上ケース２０の間に、スライダ４０と、板バネ７０と、フレキシブル基板８０と、コイルスプリング９０とを収納して構成されている。
【０００５】
下ケース１０は合成樹脂板をスライダ４０のスライド方向に向けて上に凸となるように全体を円弧状に湾曲させて構成されている。また、下ケース１０の上面中央には、先端に弾接部７７を有する弾性金属板からなる板バネ７０が取付けられている。また、下ケース１０の上面一側部には、合成樹脂シートの上面に３本のスイッチパターン８１、８３、８５を印刷したフレキシブル基板８０が取付けられている。
【０００６】
スライダ４０は合成樹脂製で、前記したケース１０の湾曲面に合わせて同様に湾曲する板状の本体４１と、この本体４１の上面中央から突出するレバー４３とから形成されている。また、本体４１の中央両側部には、それぞれバネ取付部４５と、摺動子取付部４７とが突出して設けられている。
【０００７】
バネ取付部４５は、本体４１の側部から突出する支持部４９と、支持部４９先端にスライダ４０の長手方向に沿って延びるバネ挿入部５１とにより形成されており、このバネ挿入部５１にコイルスプリング９０が挿入され保持されるものとなっている。また、摺動子取付部４７には支持部５３と、平板状の取付部５５が設けられ、この取付部５５の下面に、フレキシブル基板８０の上面に形成されたスイッチパターン８１、８３、８５と摺接する、先端に摺動片６３を有する弾性金属板製の摺動子５９が取付けられている。
【０００８】
また、スライダ４０の本体４１の裏面には、板バネ７０の弾接部７７と係合する突起部６５と、凸部６７が設けられており、板バネ７０の弾接部７７がこの突起部６５を乗り越える際にクリック感が得られるものとなる。
【０００９】
上ケース２０は同じく合成樹脂板全体を円弧状に湾曲させて構成されており、中央にはスライダ４０のレバー４３を挿通する挿通孔２１が設けられている。また、裏面中央にはスライダ４０をスライド可能に収納する凹部２３が設けられ、その両側にはスライダ４０のバネ取付部４５及びコイルスプリング９０を収納する凹部２５と、摺動子取付部４７をスライド自在に収納する凹部２７とが設けられている。
【００１０】
動作としては、センター位置にあるレバー４３を操作してコイルバネ９０の弾発力に抗して図示右側に移動させると、スライダ４０が右側にスライド移動し、摺動子５９の摺動片６３が２本のスイッチパターン８１、８３間をオンする。
次にレバー４３から手を離すと、スライダ４０はコイルバネ９０の弾発力によりセンター位置に自動復帰してスイッチパターン８１、８３間がオフするものとなる。
【００１１】
【特許文献１】
特開平０９−１８６００３号公報
【００１２】
【発明が解決しようとする課題】
しかしながら、上述した従来のスライド型電気部品の構造においては、下ケース１０及び上ケース２０はスライダ４０のスライド方向に向けて上に凸となるように全体を円弧状に湾曲させて構成されており、これに合わせてスライド４０も円弧状に湾曲されて形成されているため、スライダ４０が操作されてスライド移動する場合には、上下のケースの間を円弧状に摺動されることになり、スライダ４０の移動に伴ってセンター復帰用のコイルバネ９０には、垂直方向以外の荷重が加わることになるため、操作に伴ってコイルバネ９０が移動しやすく、その為にコイルバネ９０の飛び出し防止用としてコイルバネ９０をガイドするバネ挿入部５１が必要となっていた。
【００１３】
このため、スライダ４０のバネ取付部４５の構造や、バネ取付部４５及びコイルスプリング９０を収納する凹部２５の構造が複雑となることから、金型の構造も複雑となり、生産性が悪く、コストが高くなるという問題があった。
【００１４】
したがって、本発明では上述した問題点を解決し、中立位置へセルフリターンするタイプのスライド型電気部品において、簡単な構成でコイルバネなどの復帰ばねの移動や脱落などの防止を図ることができるスライド型電気部品を提供することを目的とする。
【００１５】
【課題を解決するための手段】
上記課題を解決するために本発明では第１の手段として、一側面に開口された収納部を有するケーシングと、操作ノブと駆動体部を有し、前記ケーシングの収納部に前記駆動体部が摺動可能に配設された操作部材と、前記ケーシングの収納部に一端側が係止され、他端側が前記操作部材を初期位置へ付勢する復帰ばねと、前記駆動体部の一側面に設けられた摺動子片あるいは導電パターンと、この摺動子片あるいは導電パターンに対向して設けられた導電パターンあるいは摺動子片を有し、前記ケーシングの収納部を覆うように一体的に係合されたカバーとを備え、前記操作部材の駆動体部に、摺動方向と直交する方向に突出されて前記復帰ばねの他端側と係合する突起部を形成すると共に、前記カバーには、前記ケーシングの収納部に収納された前記復帰ばねの一端側に当接、あるいは近接して配置される保持突起を形成したことを特徴とする。
【００１６】
また、第２の手段として、前記復帰ばねは、前記ケーシングの収納部両側部に一端側が係止され前記操作部材を中央位置へ付勢する一対の復帰ばねからなり、前記ケーシングの収納部には、前記駆動体部の摺動面より下方に摺動方向に沿って並設され、前記復帰ばねの両端部が位置決めされる壁部を有する一対のばね収納部を形成し、この一対のばね収納部の間に両方を連結する連結溝部を形成すると共に、前記ばね収納部の対向する一対の前記壁部の間に前記駆動体部の突起部を摺動案内する摺動溝部を連続して形成したことを特徴とする。
【００１７】
また、第３の手段として、前記操作部材の駆動体部には、前記突起部が形成された摺動面と、前記摺動子片あるいは導電パターンが設けられた一側面とを表裏に対向させて形成したことを特徴とする。
【００１８】
また、第４の手段として、前記摺動溝部を円弧状に形成し、前記駆動体部の突起部を前記摺動溝部に摺動させることにより前記操作ノブを円弧状にスライド操作可能に保持したことを特徴とする。
【００１９】
また、第５の手段として、円弧状の前記摺動溝部に対応する前記ばね収納部を直線状に形成し、前記ばね収納部に前記復帰ばねが直線となるように配置すると共に、前記突起部が前記摺動溝部を円弧状に摺動する際には前記復帰ばねが直線状に撓むようにしたことを特徴とする。
【００２０】
【発明の実施の形態】
以下、本発明の実施例を図１乃至図９に示す。図１はスライド型電気部品の操作部材と復帰ばねの係合状態を示す平面図、図２はスライド型電気部品の断面図、図３は操作部材の動作状態を示す説明図、図４はケーシングの平面図、図５は同じく断面図、図６は操作部材の底面図、図７は同じく断面図、図８はカバーの底面図、図９は同じく断面図である。
尚、図１、図３においては、操作部材と復帰ばねとの係合、及び動作状態が良く分かるように、便宜的に操作部材と復帰ばねとを重ねて透視した状態で示している。また、カバーの保持突起と復帰ばねとの係合状態についても点線で示している。
【００２１】
図において、ケーシング１は、合成樹脂などの絶縁材で上面及び正面が開口された有底の箱状に形成されており、中央には横長状の収納部１ａが形成され、この収納部１ａの上側には同じく横長状の開口部１ｂが形成されている。また、前記ケーシング１の上面は、なだらかな円弧状に形成されており、前記開口部１ｂの上面もこれに沿って円弧状に形成されている。
【００２２】
前記収納部１ａの内底面の略中央には、概略前記ケーシング１の上面の円弧と同じ中心を持つ円弧に沿って、やや傾斜して対向した状態の長溝からなる一対のばね収納部１ｃ、１ｃが形成されており、このばね収納部１ｃの対向する内縁部が後述する復帰ばね２の両端部を位置決めする壁部１ｄ、１ｄとなっている。また、前記一対のばね収納部１ｃ、１ｃの間には、両方を連結するように前記ばね収納部１ｃよりやや幅狭で深底の連結溝部１ｅが形成されており、また、この連結溝部１ｅに連続して前記ばね収納部１ｃの対向する一対の前記壁部１ｄ、１ｄの間に、後述する駆動体部４ａの突起部４ｄを摺動案内する摺動溝部１ｆ、１ｆが形成されている。
【００２３】
この場合、前記連結溝部１ｅと摺動溝部１ｆ、１ｆとは同じ大きさで連続されて形成されており、前記ばね収納部１ｃが直線状に形成されているのに対して、前記開口部１ｂの上面の円弧状に沿わせて同一中心点を持つ円弧状に形成されたものとなっている。
【００２４】
また、前記収納部１ａの内底面の下側には、同じく円弧状の長溝からなるガイド溝部１ｇが形成されている。このガイド溝部１ｇも、前記開口部１ｂの上面の円弧状に沿わせて同一中心点を持つ円弧状に形成されたものとなっている。このガイド溝部１ｇ及び前記摺動溝部１ｆに後述する操作部材４の駆動体部４ａに設けられたガイド突部４ｅ及び突起部４ｄが案内され摺動することにより、操作部材４が円弧に沿ってスライド移動されるものとなっている。
【００２５】
前記ケーシング１の一対のばね収納部１ｃ、１ｃには、コイル状に巻回された金属線材からなる一対の復帰ばね２、２が配設されている。この場合、前記ばね収納部１ｃの対向する内縁部である前記壁部１ｄ、１ｄに、前記復帰ばね２の両端部が位置決めされることで、前記復帰ばね２が前記ばね収納部１ｃ内に保持されるものとなっている。また、前記一対の復帰ばね２、２が対向して配置されている一端側の前記壁部１ｄには、ゴムなどの弾性を有する材料からなるスペーサー３が配設されている。このスペーサー３、３間に後述する操作部材４の駆動体部４ａに設けられた突起部４ｄが挟持されて、前記操作部材４が中立位置に保持されるものとなっている。
【００２６】
操作部材４は、合成樹脂などの絶縁材で形成されており、平面略方形状をした駆動体部４ａと、この駆動体部４ａの上側に設けられた円弧状の鍔部４ｂを有する操作ノブ４ｃとから形成されている。前記駆動体部４ａの表裏に対向する平面の一方には、略中央に、細長円弧状をした突起部４ｄが突出して設けられており、この突起部４ｄが前記ケーシング１の収納部１ａに形成された前記連結溝部１ｅに係合されるものとなっている。また、前記突起部４ｄの両端部は、外方に突出する曲面状に形成されており、この曲面が前記スペーサー３と当接することでスペーサー３を弾性変形させるものとなっている。
【００２７】
このように、前記ばね収納部１ｃの前記連結溝部１ｅで連結された側の前記壁部１ｄには、前記復帰ばね２の他端側と当接する弾性材からなる前記スペーサー３が配設されており、前記連結溝部１ｅに係合される前記駆動体部４ａに設けられた前記突起部４ｄの両端部の曲面が、前記スペーサー３の他端と当接して前記スペーサー３を弾性変形させるように形成してあるので、前記操作部材４が中央位置に復帰する際に、前記駆動体部４ａの突起部４ｄと、前記復帰ばね２の端部との当接時の衝突音を抑えることが可能となっている。また、前記突起部４ｄと前記連結溝部１ｅとの長さに差があったとしても、前記操作部材４が中央位置でがたつくことがなくなることから、前記操作部材４の復帰精度を高めることができるものとなっている。
【００２８】
また、前記突起部４ｄの下側には、平面の両端部にわたって細長円弧状をしたガイド突部４ｅが、同じく前記突起部４ｄの突出方向に突出して設けられており、このガイド突部部４ｅが、前記ケーシング１の収納部１ａに形成された前記ガイド溝部１ｇに摺動可能に係合されるものとなっている。
【００２９】
前記突起部４ｄが前記ケーシング１の収納部１ａに形成された、前記連結溝部１ｅと摺動溝部１ｆに係合されると共に、前記ガイド突部４ｅが前記ガイド溝部１ｇに係合されて摺動案内されることにより、前記操作ノブ４ｃが円弧状にスライド操作されるものとなっている。この場合、前記駆動体部４ａの前記突起部４ｄが設けられた平面が前記収納部１ａの内底面と摺動する摺動面となっており、前記ガイド突部４ｅ及び前記ガイド溝部１ｇは必ずしも必要ではなく、必要に応じて形成すればよい。
【００３０】
このように、前記摺動溝部１ｆを円弧状に形成し、前記駆動体部４ａの突起部４ｄを前記摺動溝部１ｆに摺動させることにより、前記操作ノブ４ｃを円弧状にスライド操作可能に保持するようにしてあるので、前記操作ノブ４ｃのスライド操作範囲を大きくできると共に、前記駆動体部４ａの摺動方向の寸法を小さくすることができるので、前記操作ノブ４ｃの操作性を確保したまま小型化が図れるものとなっている。
【００３１】
また、前記駆動体部４ａの対向する平面の他方には、導電性の金属材からなる摺動子片５が固着されている。この摺動子片５には、複数の片持ち状の接触片５ａが設けられており、この接触片５ａが後述する基台６に設けられた導電パターン６ａ、６ｂと接離するものとなっている。
【００３２】
基台６は、フェノール樹脂などの積層板からなり、表面には銅箔やカーボンなどの導電材からなる導電パターン６ａ、６ｂが形成されている。また、裏面には前記導電パターン６ａ、６ｂとスルーホールなどで接続された導電性の金属板からなる外部端子７が固着されている。
【００３３】
前記基台６は、前記導電パターン６ａ、６ｂが形成された表面部の一部、及び前記外部端子７の導出部の一部を除いて、合成樹脂などの絶縁材からなる平板状のカバー８に一体的に固着成形されている。そして、前記カバー８は、前記導電パターン６ａ、６ｂが、前記駆動体部４ａに固着された前記摺動子片５の接触片５ａと接離するように対向された状態で、前記ケーシング１の開口された前記収納部１ａを覆うように取り付けられるものとなっている。
【００３４】
尚、前記摺動子片５と前記導電パターンを形成する場合には、前記駆動体部４ａに前記導電パターン６ａ、６ｂを形成し、前記基台６に前記摺動子片５を形成するようにしてもよい。
【００３５】
また、前記カバー８には、前記ケーシング１の前記収納部１ａ方向へ突出すると共に、前記一対のばね収納部１ｃ、１ｃの対向する内縁部に形成された前記復帰ばね２の両端部を位置決めする壁部１ｄ、１ｄの近傍位置まで延設する一対の保持突起８ａ、８ａが形成されている。また、この保持突起８ａ、８ａは、前記ばね収納部１ｃ、１ｃに係止される前記復帰ばね２の前記操作部材４の突起部４ｄと当接する側と反対側の一端側のみに設けられており、前記ケーシング１のばね収納部１ｃに収納された前記復帰ばね２の一端側に当接、あるいは近接して配置されるものとなっている。
【００３６】
上記構成のスライド型電気部品を組み立てるには、前記ケーシング１の一対の前記ばね収納部１ｃ、１ｃの対向する一端側の壁部１ｄ、１ｄに、前記スペーサー３を挿入し、このスペーサー３の他端側に一端側を当接した状態で前記復帰ばね２を挿入する。
【００３７】
次に、前記ケーシング１の収納部１ａに設けられた前記連結溝部１ｅと前記ガイド溝部１ｇに、前記操作部材４の駆動体部４ａの摺動面に設けられた前記突起部４ｄと前記ガイド突部４ｅを挿通することにより重ね合わせ、これとは反対の一側面に固着された前記摺動子片５上に、前記導電パターン６ａ、６ｂが設けられた前記基台６が一体的に固着成形された前記カバー８を被せて、前記カバー８で前記ケーシング１の収納部１ａ開口上を覆うようにしてカシメ又は接着などの方法で取り付けることにより組立が終了する。
【００３８】
このように、前記操作部材４の前記駆動体部４ａには、前記突起部４ｄが形成される摺動面と、前記摺動子片５が固着される一側面とを表裏に対向させて形成するようにしたので、前記スペーサ３及び前記復帰ばね２を前記ケーシング１の前記ばね収納部１ｃに取り付けた後に、前記操作部材４の前記突起部４ｄが設けられた摺動面を下にして上から重ねて取り付けて、その上から前記導電パターン６ａ、６ｂが設けられた前記基台６が一体的に固着成形された前記カバー８を取り付ければ組立が終了するため、組み立てが簡易となり作業性が向上されるものとなる。また、導電パターン６ａ、６ｂを前記駆動体部４ａの一側面である平坦面状に形成することができるので、導電パターン６ａ、６ｂの形成が容易に行えるものとなっている。
【００３９】
また、前記操作部材４、前記復帰ばね２が、前記ケーシング１の収納部１ａに収納され、前記収納部１ａの開口側を前記カバー８で覆うように積層される構成であることから、一方向からの組み立てが可能で作業性が向上すると共に、金型を複雑な構造とすることなしに簡単な構造で前記復帰ばね２の移動や脱落などの防止を図ることができるものとなっている。
また、前記保持突起８ａを、前記復帰ばね２の一端側に常時当接するように形成した場合には、この一端側は、他端側と違って駆動されない前記復帰ばね２の固定側であることから、前記復帰ばね２を前記ばね収納部１ｃに強固に保持できる。また、この強固な保持を、一方向の組み立て工程において、寸法設定を適切にするだけで簡単に設定することができるものとなる。
【００４０】
次に、図１及び図３で上記構成のスライド型電気部品の動作について説明する。
まず、図１に示す初期の状態では、前記操作ノブ４ｃは中立位置にあり、この状態では前記駆動体部４ａの突起部４ｄが前記連結溝部１ｅに係合され、前記突起部４ｄの両端部が、前記一対のスペーサー３、３に当接されて前記一対の復帰ばね２、２の付勢力によって中立位置に保持されている。
【００４１】
この時、前記一対の復帰ばね２、２の付勢力は均衡に保たれた状態となっており、また、前記突起部４ｄの両端部の曲面が、前記スペーサー３、３を押圧して弾性変形させることで中立位置での前記操作ノブ４ｃのがたつきが抑えられるものとなっている。この状態では前記摺動子片５の接触片５ａと前記導電パターン６ａとは接触しているが、接触片５ａと導電パターン６ｂとは離間した状態となっている。
【００４２】
この状態から、例えば図３に示すように、前記操作ノブ４ｃが図示左方向へ押圧されると、前記操作ノブ４ｃが左側にスライド移動されるものとなり、これに伴って前記駆動体部４ａも、前記突起部４ｄが前記摺動溝部１ｆに、前記ガイド突部４ｅが前記ガイド溝部１ｇに摺動案内されて左側にスライド移動されるものとなり、前記突起部４ｄは左側に配設された前記復帰ばね２の付勢力に抗して前記復帰ばね２を圧縮させるものとなる。この時、前記摺動子片５の接触片５ａが前記基台６の表面上を摺動して前記導電パターン６ｂと接触することで接点がオン状態となり、信号が前記外部端子７を介して外部の回路に送信されるものとなっている。
【００４３】
この時、前記駆動体部４ａは、円弧状に形成された前記摺動溝部１ｆに沿って前記突起部４ｄが円弧状にスライド移動されるものとなるが、円弧状の前記摺動溝部１ｆに対応する前記ばね収納部１ｃは、直線状に形成されており、前記ばね収納部１ｃに前記復帰ばね２が直線となるように配置されていて、概略前記復帰ばね２は前記突起部４ｄの円弧状のスライド方向に沿って形成されていることから、前記突起部４ｄが前記摺動溝部１ｆを円弧状に摺動する際には、前記復帰ばね２は直線状に撓むようになっている。
【００４４】
このように、前記突起部４ｄが前記摺動溝部１ｆを円弧状に摺動する際には、前記復帰ばね２が直線状に撓むようにしたことから、前記復帰ばね２を直線状のまま使用でき、また、概略前記復帰ばね２の端面に垂直に荷重が加わることになるのでよじれることがなくなると共に、前記突起部４ｄに異常な荷重が加わらないため、前記操作部材４の動作が安定し確実な復帰が得られるものとなっている。
【００４５】
また、前記復帰ばね２が撓む際には、固定側の一端側に前記カバー８に延設された前記保持突起８ａが当接、あるいは近接して配置されているので、前記復帰ばね２の一端側は確実に保持されており、例え、前記突起部４ｄが前記摺動溝部１ｆを円弧状に摺動する際に、前記復帰ばね２に無理な力が加わったとしても、前記復帰ばね２が移動したり、飛び出したりするのを防止することができるものとなっている。
【００４６】
この状態から、前記操作ノブ４ｃへの押圧が解除されると、前記駆動体部４ａが前記復帰ばね２の付勢力により図１に示す中立位置へと復帰される。この時、前記突起部４ｄは、右側に配置された前記復帰ばね２に付勢されている右側の前記スペーサー３に当接するものとなり、この時の前記スペーサー３の弾性変形によって衝突音の発生を抑えることができるものとなっている。尚、前記操作ノブ４ｃが図示右方向へ押圧された場合においても、上記と同様な動作となるため、ここではその説明を省略する。
【００４７】
尚、上記実施例においては、前記操作ノブ４ｃ、及び前記駆動体部４ｄが円弧状にスライド移動する構成としたが、本発明はこれに限定されるものではなく、例えば直線状にスライド移動するように構成してもよく、この場合にも同様の効果が得られるのはもちろんである。
【００４８】
また、導電パターンはオン状態とオフ状態となるスイッチパターンで説明し、スライド型スイッチとして構成したが、導電パターンを抵抗体で形成しスライド型可変抵抗器としてもよい。また、前記摺動子片５と導電パターン６ａ、６ｂの配置を逆としてもよいし、それらを前記駆動体部４ａの前記操作ノブ４ｃと対向する側面に設けてもよい。
【００４９】
上記した実施例によれば、前記操作部材４の前記駆動体部４ａに、摺動方向と直交する方向に突出されて前記復帰ばね２の他端側と係合する前記突起部４ｄを形成すると共に、前記カバー８には、前記ケーシング１の収納部１ａに収納された前記復帰ばね２の一端側に当接、あるいは近接して配置される前記保持突起８ａを形成したことから、一方向からの組み立てが可能で作業性が向上すると共に、金型を複雑な構造とすることなしに簡単な構造で前記復帰ばね２の移動や脱落などの防止を図ることができるものとなっている。
【００５０】
また、前記復帰ばね２を、前記ケーシング１の収納部１ａ両側部に一端側が係止され前記操作部材４を中央位置へ付勢する一対の前記復帰ばね２から構成した場合においても、前記ケーシング１の収納部１ａに、前記操作部材４の前記駆動体部４ａと重なる位置に並設して、前記復帰ばね２を配置する前記ばね収納部１ｃを形成することができるため、前記駆動体部４ａの摺動方向に連ねて前記復帰ばね２を配置する構造にくらべて前記駆動体部４ａの摺動方向の寸法を短くすることができるので、電気部品全体の大きさを小さくすることができるものとなっている。
【００５１】
【発明の効果】
以上説明したように、本発明のスライド型電気部品は、一側面に開口された収納部を有するケーシングと、操作ノブと駆動体部を有し、ケーシングの収納部に駆動体部が摺動可能に配設された操作部材と、ケーシングの収納部に一端側が係止され、他端側が操作部材を初期位置へ付勢する復帰ばねと、駆動体部の一側面に設けられた摺動子片あるいは導電パターンと、この摺動子片あるいは導電パターンに対向して設けられた導電パターンあるいは摺動子片を有し、ケーシングの収納部を覆うように一体的に係合されたカバーとを備え、操作部材の駆動体部に、摺動方向と直交する方向に突出されて復帰ばねの他端側と係合する突起部を形成すると共に、カバーには、ケーシングの収納部に収納された復帰ばねの一端側に当接、あるいは近接して配置される保持突起を形成したことから、一方向からの組み立てが可能で作業性が向上すると共に、金型を複雑な構造とすることなしに簡単な構造で復帰ばねの移動や脱落などの防止を図ることができる。
【００５２】
また、復帰ばねは、ケーシングの収納部両側部に一端側が係止され操作部材を中央位置へ付勢する一対の復帰ばねからなり、ケーシングの収納部には、駆動体部の摺動面より下方に摺動方向に沿って並設され、復帰ばねの両端部が位置決めされる壁部を有する一対のばね収納部を形成し、この一対のばね収納部の間に両方を連結する連結溝部を形成すると共に、ばね収納部の対向する一対の壁部の間に駆動体部の突起部を摺動案内する摺動溝部を連続して形成したことから、操作部材の駆動体部と重なる位置に並設して復帰ばねの収納部を形成することができるため、駆動体部の摺動方向に連ねて復帰ばねを配置する構造にくらべて駆動体部の摺動方向の寸法を短くすることができ、電気部品全体の大きさを小さくすることが可能となる。
【００５３】
また、操作部材の駆動体部には、突起部が形成された摺動面と、摺動子片あるいは導電パターンが設けられた一側面とを表裏に対向させて形成したことから、復帰ばねをケーシングのばね収納部に取り付けた後に、操作部材の摺動面を上から重ねて取り付け、その上から基台を取り付ければ組立が終了するため、組み立て作業性が簡易となり、導電パターンを平坦面状に形成することができるので形成が容易となる。
【００５４】
また、摺動溝部を円弧状に形成し、駆動体部の突起部を摺動溝部に摺動させることにより操作ノブを円弧状にスライド操作可能に保持したことから、操作ノブのスライド操作範囲を大きくできると共に、駆動体部の摺動方向の寸法を小さくすることができるので、操作性を確保したまま小型化が図れる。
【００５５】
また、円弧状の摺動溝部に対応するばね収納部を直線状に形成し、ばね収納部に復帰ばねが直線となるように配置すると共に、突起部が摺動溝部を円弧状に摺動する際には復帰ばねが直線状に撓むようにしたことから、復帰ばねを直線状のまま使用できるのでよじれることがなく、突起部に異常な荷重が加わらないため、動作が安定し確実な復帰が可能となる。
【図面の簡単な説明】
【図１】本発明の一実施例であるスライド型電気部品の操作部材と復帰ばねの係合状態を示す平面図である。
【図２】本発明のスライド型電気部品の断面図である。
【図３】本発明のスライド型電気部品の操作部材の動作状態を示す説明図である。
【図４】本発明のスライド型電気部品のケーシングを示す平面図である。
【図５】本発明のスライド型電気部品のケーシングを示す断面図である。
【図６】本発明のスライド型電気部品の操作部材を示す底面図である。
【図７】本発明のスライド型電気部品の操作部材を示す断面図である。
【図８】本発明のスライド型電気部品のカバーを示す底面図である。
【図９】本発明のスライド型電気部品のカバーを示す断面図である。
【図１０】従来のスライド型電気部品を示す分解斜視図である。
【図１１】従来のスライド型電気部品のスライダを裏面側から示す斜視図である。
【図１２】従来のスライド型電気部品の上ケースを裏面側から示す斜視図である。
【符号の説明】
１  ケーシング
１ａ  収納部
１ｂ  開口部
１ｃ  ばね収納部
１ｄ  壁部
１ｅ  連結溝部
１ｆ  摺動溝部
１ｇ  ガイド溝部
２  復帰ばね
３  スペーサー
４  操作部材
４ａ  駆動体部
４ｂ  鍔部
４ｃ  操作ノブ
４ｄ  突起部
４ｅ  ガイド突部
５  摺動子片
５ａ  接触片
６  基台
６ａ，６ｂ  導電パターン
７  外部端子
８  カバー
８ａ  保持突起
【図１】
2004234990.tif 000003
【図２】
2004234990.tif 000004
【図３】
2004234990.tif 000005
【図４】
2004234990.tif 000006
【図５】
2004234990.tif 000007
【図６】
2004234990.tif 000008
【図７】
2004234990.tif 000009
【図８】
2004234990.tif 000010
【図９】
2004234990.tif 000011
【図１０】
2004234990.tif 000012
【図１１】
2004234990.tif 000013
【図１２】
2004234990.tif 000014